(57)【要約】【課題】下位装置のＬ２信号処理部と共に二重化構造された上位装置のＬ３呼制御部における負荷の平衡を容易に維持することを簡易な構成で可能とする。【解決手段】Ｌ２信号処理部２ＡとＬ３呼制御部３Ａとを一つのＡ面、Ｌ２信号処理部２ＢとＬ３呼制御部３Ｂとを一つのＢ面、そのＡ／Ｂの二つの面をもって二重化構造を形成し、その両面それぞれでＬ２信号処理部２の処理量を監視する信号流量監視部４を備え、その処理量を相互通知し、例えば、Ａ面のほうの処理量が多い場合、その平衡をとるように、処理量のより多いＡ面のＬ２信号処理部２Ａで受付けの信号を処理量のより少ないＢ面のＬ３呼制御部３Ｂへ分配する。【選択図】図１
2008193376.tif 000002
【特許請求の範囲】
【請求項１】
Ｎo.７共通線信号網のレイヤ２ユニットとレイヤ３ユニットとを一つの面に形成し、その二つの面をもって二重化構造と成し、その両面それぞれでレイヤ２ユニットの処理量を監視して相互通知し、その処理量に相違が生じた際には、その平衡をとるように、一方の処理量のより多い面のレイヤ２ユニットで受付けの信号を他方の処理量のより少ない面のレイヤ３ユニットへ分配することを特徴とする二重化構造の信号処理方法。
【請求項２】
請求項１に記載の二重化構造の信号処理方法において、前記処理量の監視が単位時間当たりの信号数であることを特徴とする二重化構造の信号処理方法。
【請求項３】
請求項１に記載の二重化構造の信号処理方法において、前記処理量の監視が単位時間当たりのバイト数であることを特徴とする二重化構造の信号処理方法。
【請求項４】
請求項１に記載の二重化構造の信号処理方法において、それぞれの面で更にレイヤ３ユニットに入力する信号の処理能力を監視してその能力低下をレイヤ２ユニットに通知し、レイヤ２ユニットではその通知に基づき自己の面の分配量を制限することを特徴とする二重化構造の信号処理方法。
【請求項５】
Ｎo.７共通線信号網を二重化構造とする信号処理装置において、レイヤ２ユニットとレイヤ３ユニットとを一つの面としてその二面を有する信号端局に構成し、その二つの面にあるレイヤ２ユニットとレイヤ３ユニットとの間の接続を二重化構造に形成し、前記二つの面それぞれで、前記レイヤ２ユニットの処理量を監視してその処理量を他方の面に通知する一方、他方の面のレイヤ２ユニットの処理量の通知を受け、自己の面の処理量より他方の面の処理量が少ないか、または、自己の面の処理量が他方の面の処理量より多いか、を切替え判定によりレイヤ２ユニットへ通知する信号流量監視部を備え、かつ、前記レイヤ２ユニットが前記信号流量監視部から切替え判定通知を受けた際にはレイヤ２ユニットからレイヤ３ユニットへ送出する信号の所定量を他方の面のレイヤ３ユニットへ分配する選択制御機能を有することを特徴とする二重化構造の信号処理装置。
【請求項６】
請求項５に記載の二重化構造の信号処理装置において、前記信号流量監視部が、処理量として単位時間当たりの信号数を計測することを特徴とする二重化構造の信号処理装置。
【請求項７】
請求項５に記載の二重化構造の信号処理装置において、前記信号流量監視部が、処理量として、単位時間当たりのバイト数を計測することを特徴とする二重化構造の信号処理装置。
【請求項８】
請求項５に記載の二重化構造の信号処理装置において、前記二つの面それぞれで、レイヤ３ユニットでの信号の処理能力を監視し、その処理能力低下を検出して前記信号流量監視部へ通知する処理能力監視部を更に備え、前記信号流量監視部が、前記処理能力監視部から受付けした処理能力低下通知をも他方の面へ通知し、自己の面の処理量通知および処理能力低下通知と、他方の面から受付けした処理量通知および処理能力低下通知とに基づき切替え判定することを特徴とする二重化構造の信号処理装置。
【請求項９】
下位装置と上位装置とで一つの面を形成し、その二つの面相互間の接続を交差させて二重化構造とし、前記二つの面それぞれで前記下位装置における上位装置への負荷を計測して相互に通知し、上位装置の負荷の平衡を維持するように、負荷の多い面で負荷の一部を負荷の少ない面の上位装置へ分配することを特徴とする二重化構造の信号処理方法。
【発明の詳細な説明】
【技術分野】
【０００１】
本発明は、サービス総合ディジタル網（ＩＳＤＮ）における電話網で、局間インタフェースとして規格化されたＮo.７共通線信号網の二重化構造をＡ面およびＢ面で形成して電話回線を収容する信号端局の信号処理方法およびその装置に関し、特に、Ａ面とＢ面との負荷分散を均等化する二重化構造の信号処理方法およびその装置に関するものである。
【背景技術】
【０００２】
ＩＳＤＮサービスを実現するためにＩＳＤＮが具備する機能は、ＯＳＩ（開放型システム間相互接続）基本参照モデルに対応してレイヤ１からレイヤ７までの層構成を基本として規定される。その二重化構造は、レイヤ１からレイヤ３までの伝達機能に適用して障害発生時におけるシステムの信頼性を高めている。この「レイヤ」は、以後「Ｌ」と略称することがある。すなわち、Ｌ１からＬ３までが伝達機能を有し、Ｌ１はチャネル構成などの接続機能を有する物理層である。Ｌ２は、伝送誤りなど、信号送受信を処理する信号メッセージ伝達機能を有し、データリンク層と呼ばれる。更に、Ｌ３は、呼制御、信号メッセージルーティンなどの機能を有し、ネットワーク層と呼ばれる。
【０００３】
従来の二重化構造の信号処理装置としては、例えば、特許第２８０６６１４号（特許文献１）に開示されたものがある。
【０００４】
この二重化構造の信号処理装置は、例えば、図６に示されるように、Ｌ２の機能を処理する複数のＬ２ユニット１２１〜１２ｎとＡ面装置１１０ＡおよびＢ面装置１１０Ｂの二重化構造でＬ３機能を有する二つのＬ３ユニット１１１Ａ、１１１Ｂとの全てが、二つの並列バス１３１、１３２により接続されている。更に、Ａ面およびＢ面それぞれには、上位装置１２０と接続する連結網ユニット１１２Ａ、１１２Ｂが、並列バス１３１、１３２に接続して備えられる。
【０００５】
このような構成により、並列バス１３１、１３２の一方に障害が発生しても、他方を使用できるので、システムの信頼度を高めることができる。然しながら、特許文献１では、Ｌ３ユニット１１１Ａ、１１１Ｂが一方通行のため、例えば、上記システムで、複数のＬ２ユニットからの呼が並列バス１３１、１３２の一方に集中した場合、他方の負荷が軽減されて不均衡を生じ、呼が集中した側では異常状態を生じる恐れがある。
【０００６】
このような二つの制御系における負荷の平衡を図る方式が、例えば、特開平４−８１９６０号公報（特許文献２）で開示されている。
【０００７】
この方式では、図7に示されるように、＃０系および＃１系の２面の制御部２１０−０、２１０−１それぞれで自系の制御部が受付けする命令数、バッファ使用状況などの負荷状況を監視して負荷状況共用メモリ２１１に記憶すると共にその負荷状況を他系に通知している。従って、負荷状況共用メモリ２１１には、自系および他系の両者の負荷状況が記憶されている。プログラム処理部２１３は、負荷状況共用メモリ２１１の負荷状況を比較して他系のほうの負荷が軽い場合、自系への入出力を拒否して、負荷を均等化するように負荷の分散を実行している。
【０００８】
特許文献２の技術を特許文献１の二重化構造の信号処理装置に適用する場合、Ａ面およびＢ面のＬ３ユニットまたは連結網ユニットで負荷状況の監視と負荷分散制御とを行うことになる。特許文献１の二重化構造はＬ２ユニットおよびＬ３ユニットのすべてを並列バスで接続する二重化構造であるため、接続される全装置、すなわちＡ面またはＢ面の装置から多数のＬ２ユニットへも、負荷分散のための情報を通知することが必要である。
【０００９】
Ｎo.７共通線信号網のＡ面およびＢ面を収容する信号端局においては、信頼性を高めるためＡ面とＢ面の収容を個別の装置で構成している場合、片面の伝送路障害、または対向装置側の障害等により、負荷分散されていた信号が、Ａ面およびＢ面のうちの一方の面にフェイルオーバーされる。このため、その面を収容する装置のみで信号の処理を行うことになるので、片面装置に負荷が集中して輻輳が発生したりするなどの安定性・信頼性に欠ける問題があった。
【００１０】
これを改善するため、特許文献２で、Ａ面およびＢ面それぞれの負荷を監視して分散させる制御情報をＡ面およびＢ面それぞれで相互通知する技術がある。しかし、特許文献1ではＬ２およびＬ３のすべてのユニットが並列バスの接続により二重化構造としているため、制御情報を多数のＬ２ユニットを含んで相互通知するので、その処理が煩雑となる。
【００１１】
【特許文献１】特許第２８０６６１４号公報（第３図）
【特許文献２】特開平４−８１９６０号公報（第１図、第３図）
【発明の開示】
【発明が解決しようとする課題】
【００１２】
解決しようとする課題は、Ａ面およびＢ面それぞれの負荷を監視し、制御情報を相互通知して負荷分散させる構成が単純化できていないことである。
【課題を解決するための手段】
【００１３】
本発明は、二重化されるＡ面およびＢ面それぞれの負荷を監視し、制御情報を相互通知して負荷分散させる構成を単純化することを目的とする。
【００１４】
そのため、本発明による二重化構造の信号処理方法では、下位装置のレイヤ２ユニットと上位装置のレイヤ３ユニットとで一つの面を形成し、その二つの面相互間の接続を交差させて二重化構造とし、前記二つの面それぞれで前記下位装置における上位装置への負荷を計測して相互に通知し、上位装置の負荷の平衡を維持するように、負荷の多い面で負荷の一部を負荷の少ない面の上位装置へ分配することを主要な特徴とする。
【００１５】
Ｎo.７共通線信号網で具体化されるものでは、それぞれ一つのレイヤ２ユニットとレイヤ３ユニットとを一つの面に構成し、その二つの面をもって二重化構造を形成し、その両面それぞれでレイヤ２ユニットの処理量を監視して相互通知し、その処理量に相違が生じた際には、その平衡をとるように、一方の処理量のより多い面のレイヤ２ユニットでの受付け信号を他方の処理量のより少ない面のレイヤ３ユニットへ分配する方法である。
【００１６】
また、更に、それぞれの面で更にレイヤ３ユニットに入力する信号の処理能力を監視してその能力低下をレイヤ２ユニットに通知し、レイヤ２ユニットではその通知に基づき自己の面の分配量を制限することが好ましい。
【００１７】
具体的な構成要素としては、レイヤ２ユニットとレイヤ３ユニットとを一つの面としてその二面を有する信号端局に構成し、レイヤ２ユニットとレイヤ３ユニットとを一つの面としてその二面を有する信号端局に構成し、その二つの面にあるレイヤ２ユニットとレイヤ３ユニットとの間の接続を二重化構造に形成する。前記二つの面それぞれは、前記レイヤ２ユニットの処理量を監視してその処理量を他方の面に通知する一方、他方の面のレイヤ２ユニットの処理量の通知を受け、自己の面の処理量より他方の面の処理量が少ないか、または、自己の面の処理量が他方の面の処理量より多いか、を切替え判定によりレイヤ２ユニットへ通知する信号流量監視部を備える。かつ、前記レイヤ２ユニットが前記信号流量監視部から切替え判定通知を受けた際には、レイヤ２ユニットからレイヤ３ユニットへ送出する信号の所定量を他方の面のレイヤ３ユニットへ分配する選択制御機能を有する。
【００１８】
また、前記二つの面それぞれで、レイヤ３ユニットでの信号の処理能力を監視し、その処理能力低下を検出して前記信号流量監視部へ通知する処理能力監視部が、更に備えられる。この場合、前記信号流量監視部が、前記処理能力監視部から受付けした処理能力低下通知をも他方の面へ通知し、自己の面の処理量通知および処理能力低下通知と、他方の面から受付けした処理量通知および処理能力低下通知とに基づき切替え判定する。
【発明の効果】
【００１９】
本発明の二重化構造の信号処理方法およびその装置は、レイヤ２ユニットとレイヤ３ユニットとを一つの面としてその二面を有する信号端局に形成し、その二つの面をもって二重化構造とする場合、二つの面のレイヤ２ユニットとレイヤ３ユニットとの間の接続路を交差させる二重化接続が形成されている。そして、それぞれの面での信号処理量が計測されて相互通知をすることにより、相手の面での信号処理量を知ることができる。そのため、二重化された二つの面の信号処理量に不平衡が生じた際にレイヤ２ユニットからレイヤ３ユニットへの二重化接続を利用してレイヤ３ユニットでの負荷を二つの面で平衡するように分配することができる。
【００２０】
従って、片面のレイヤ１またはレイヤ２における伝送路障害または対向装置側の障害等により、負荷分散されていた信号が、一方の面にフェイルオーバーされて、レイヤ２での負荷の不平衡が生じた場合でも、レイヤ２およびレイヤ３の構成を簡潔にして、レイヤ３以上の機能処理での負荷の平衡を維持し、信号処理の安定性および信頼性を向上させることができる。
【発明を実施するための最良の形態】
【００２１】
負荷分散されていた信号が、一方の面にフェイルオーバーされて、レイヤ２での負荷の不平衡が生じた場合でも、レイヤ２およびレイヤ３の構成を簡潔にして、レイヤ３以上の機能処理での負荷の平衡を維持し、信号処理の安定性および信頼性を向上させるという目的を、下記実施の態様により簡潔な形態で実現した。
【００２２】
すなわち、Ｎo.７共通線信号網のレイヤ２ユニットとレイヤ３ユニットとを一つの面に形成し、その二つの面をもって二重化構造としている。そして、その両面それぞれでレイヤ２ユニットの処理量を監視して相互通知し、その処理量に相違が生じた際には、その平衡をとるように、一方の処理量のより多いほうの面のレイヤ２ユニットでの受付け信号を他方の処理量のより少ないほうの面のレイヤ３ユニットへ分配する手段が採られている。
【００２３】
以下に、図面を参照して発明の詳細を説明する。以後「レイヤ」は「Ｌ」で略記する。また、ＯＳＩ基本参照モデルに対応するレイヤ１からレイヤ４までの層構成を基本として規定されるＩＳＤＮが具備する機能から、上記Ｌ２ユニットはＬ２信号処理部、Ｌ３ユニットはＬ３呼制御部とし、更に、Ｌ１接続部およびＬ４送達確認部が図示されている。
【００２４】
図面には、本発明に係る部分が中心に示され、構成要素として必須機能でも省略されているものがある。機能ブロックで示されているが、本発明の趣旨、機能から外れない限りブロック構成の分離併合の変更は自由であり、以下の説明が本発明を限定するものではない。
【実施例１】
【００２５】
本発明の実施例１について図１から図３までを参照して説明する。
【００２６】
図１は、本発明による信号処理装置の実施の一形態をブロックで示す説明図である。
【００２７】
図示される信号端局１０は、Ａ面装置とＢ面装置との二つにより二重化構造を成して、物理層の二つの信号回線からの信号を上位層のＬ４送達確認部２０に伝達する。各構成要素の番号符号にＡ面には「Ａ」を、Ｂ面には「Ｂ」を付与してある。
【００２８】
Ａ面装置およびＢ面装置を有する信号端局１０は、Ｌ１接続部１Ａ，１Ｂ、Ｌ２信号処理部２Ａ，２Ｂ、Ｌ３呼制御部３Ａ，３Ｂ、および信号流量監視部４Ａ，４Ｂを備える。すなわち、Ａ面装置およびＢ面装置のそれぞれは、Ｌ１接続部１、Ｌ２信号処理部２、Ｌ３呼制御部３、および信号流量監視部４を備えることとなる。
【００２９】
Ｌ１接続部１は、信号回線を接続するコネクタなどの物理層機能を有し、回線から受付けした信号をＬ２信号処理部に送る。Ｌ２信号処理部２は、Ｌ１接続部１から受付けした所定のフレームフォーマットによる信号の伝送誤りを再生回復するなどした後、その信号をＬ３呼制御部３へ送出するデータリンク層機能を有する。Ｌ２信号処理部２からの信号送出先は、通常では同一面内のＬ３呼制御部３であり、信号流量監視部４から切替え指示の通知を受付けた際には他方の面のＬ３呼制御部３に切替えられる。Ｌ３呼制御部３は、同一面内および他方の面の両方のＬ２信号処理部２から信号を受付けし、信号に含まれるメッセージに基づく呼制御、ルーティングなどを逐次処理してＬ４送達確認部２０へ送出するネットワーク機能を有する。
【００３０】
信号流量監視部４は、本発明で付加される構成要素であり、一方ではＬ２信号処理部２と接続してＬ２信号処理部２で処理する信号量を計測して記録する。他方では他方の面の信号流量監視部４と接続して、記録した計測量を通知する。詳細はＬ２信号処理部２と共に、図１に図２を参照して後述する。
【００３１】
図２は、図1に示されるＬ１接続部１Ａ，１Ｂ、Ｌ２信号処理部２Ａ，２Ｂおよび信号流量監視部４Ａ，４Ｂの詳細の実施の一形態を、Ｌ１接続部１、Ｌ２信号処理部２および信号流量監視部４によりブロックで示した説明図である。
【００３２】
Ｌ２信号処理部２は、ＨＤＬＣ（ハイレベル・データ・リンク・コントロール・プロセジャ）のフレームフォーマットを基本として処理するものである。図示されるように、Ｌ１ＩＦ（インタフェース）２１、バッファメモリ２２、ＨＤＬＣ処理２３、切替え選択制御２４、およびＬ３ＩＦ２５Ｓ，２５Ｅの機能要素を有する。Ｌ１ＩＦ２１、バッファメモリ２２、ＨＤＬＣ処理２３、および切替え選択制御２４は、バス２６により接続されており、切替え選択制御２４がそのバス２６をＬ３ＩＦ２５Ｓ，２５Ｅの機能要素に切替え接続する。Ｌ３ＩＦ２５Ｓは自面のＬ３個制御部３に接続し、Ｌ３ＩＦ２５Ｅは他面のＬ３個制御部３に接続する。
【００３３】
Ｌ１ＩＦ２１は、Ｌ１接続部１とのインタフェース機能を有する。バッファメモリ２２は受付けする信号を一時記録保管する。ＨＤＬＣ処理２３は、プロセッサおよびメモリを有し、ＨＤＬＣに基づく処理により、バッファメモリ２２に保管された信号データの正常性を確認して、切替え選択制御２４を介して接続されたＬ３ＩＦ２５Ｓ，２５Ｅに信号を送出する。切替え選択制御２４は、通常、バス２６をＬ３ＩＦ２５Ｓに接続し、信号流量監視部４から切替え指示を受付けした際に、バス２６をＬ３ＩＦ２５Ｅに切替えて接続する。
【００３４】
信号流量監視部４は、自面流量計測４１、自面流量メモリ４２、自面流量送出４３、他面流量受付け４４、他面流量メモリ４５、および比較切替え判定４６の構成要素を有する。自面流量計測４１は、一方で自面流量メモリ４２、他方で自面流量送出４３と接続する。他面流量受付け４４は、一方で他面流量メモリ４５と接続し、他方で自面流量送出４３と接続する。比較切替え判定４６は、一方で自面流量メモリ４２および他面流量メモリ４５と接続し、他方で上記切替え選択制御２４と接続する。
【００３５】
自面流量計測４１は、ＨＤＬＣ処理２３のＬ３個制御部３へ送る信号の単位時間当たりの信号数を信号流量として例えば定期的に計測し、その信号計数値を自面流量メモリ４２に記録する一方で自面流量送出４３へ送付する。自面流量送出４３は、接続する他方の面の他面流量受付け４４へ、受付けした自面の信号計数値を送出する。自己の他面流量受付け４４は、接続する他方の面の自面流量送出４３から、他方の面の信号計数値を受付けし、他面流量メモリ４５に記録する。比較切替え判定４６は、自面流量メモリ４２および他面流量メモリ４５それぞれに記録された信号計数値を比較し、自面流量が他面流量より多い場合、所定数、例えばその差の２分の１の信号数分を他面に分配するように、切替え選択制御２４へ切替え指示を送る。
【００３６】
図３は、Ｌ３呼制御部３Ａ，３Ｂの詳細の実施の一形態をＬ３呼制御部３によりブロックで示した説明図である。
【００３７】
Ｌ３呼制御部３は、基本的には、Ｌ２信号処理部２から受付けた信号からメッセージを取り出して呼接続を制御するものである。Ｌ３呼制御部３は、図示されるように、Ｌ２ＩＦ３１Ｓ，３１Ｅ、選択制御３２、バッファメモリ３３、呼接続処理３４、およびＬ４ＩＦ３５の機能要素を有する。Ｌ２ＩＦ３１Ｓ，３１Ｅは、一方で自面および他面それぞれのＬ２信号処理部２と接続し、他方でバッファメモリ３３と接続する。選択制御３２は、一方でＬ２ＩＦ３１Ｓ，３１Ｅ、他方で呼接続処理３４と接続する。バッファメモリ３３は、一方でＬ２ＩＦ３１Ｓ，３１Ｅ、他方で呼接続処理３４およびＬ４ＩＦ３５と接続する。Ｌ４ＩＦ３５は他方で上位のＬ４送達確認部に接続する。
【００３８】
Ｌ２ＩＦ３１Ｓ，３１Ｅは、自面および他面それぞれのＬ２信号処理部２から信号を受付けし、選択制御３２の制御を受けて受付けした信号をバッファメモリ３３に記憶する。選択制御３２は、Ｌ２ＩＦ３１Ｓ，３１Ｅでの同時受付けを回避するよう順序付けしてバッファメモリ３３に接続すると共にその受付けを呼接続処理３４に通知する。バッファメモリ３３は、受付けした信号を一時記憶する。呼接続処理３４は、プロセッサおよびメモリを有し、バッファメモリ３３に保管された信号データからメッセージを取り出して呼接続処理を実行し、Ｌ４ＩＦ３５を介して接続されたＬ４送達確認部に信号を送出する。
【００３９】
このように、Ｌ２信号処理部とＬ３呼制御部とを一つの面にして二つの面でその間を二重化する構成を採用したので、簡潔な構成の上、負荷分散されていた信号が、一方の面にフェイルオーバーされて、二面それぞれのＬ２信号処理部での負荷の不平衡が生じた場合でも、レイヤ３以上の機能処理での負荷の平衡を維持させることができる。従って、信号処理の安定性および信頼性を向上させることができる効果がある。
【００４０】
上記説明では、流量計測を、ＨＤＬＣ処理でＬ３個制御部へ送る信号の単位時間当たりの信号計数値を信号流量として計測しているが、例えば、単位時間当たりのバイト長など他の要素を利用してもよい。
【実施例２】
【００４１】
本発明の実施例２について図３から図５までを併せ参照して説明する。
【００４２】
この実施例２は、図３に示されるＬ３呼制御部３の処理能力を監視する処理能力監視部５を、図４に示されるように図１の構成に追加するものである。
【００４３】
すなわち、図１のＬ３呼制御部３は、他の面から、より多い信号を単純に受付けしたという理由で信号の供給を受けるので、自己の制御を加えることができない。そのため、Ｌ３呼制御部３が自己の処理能力以上の負荷を受ける場合が生じる。
【００４４】
実施例２は、この問題を解決するものである。
【００４５】
図４は、本発明による信号処理装置の実施の一形態をブロックで示す説明図である。
【００４６】
図示される信号端局１０はＣ面装置とＤ面装置との二つにより二重化構造を形成して、物理層の二つの信号回線からの信号を上位層のＬ４送達確認部２０に伝達する。各構成要素の番号符号にＣ面には「Ｃ」を、Ｄ面には「Ｄ」を付与してある。
【００４７】
Ｃ面装置およびＤ面装置では、図１における「Ａ」を「Ｃ」に、また「Ｂ」を「Ｄ」にそれぞれ変換し、処理能力監視部５Ｃ，５Ｄを加えたものである。処理能力監視部５Ｃは、一方でＬ３呼制御部３Ｃと、他方で信号流量監視部４Ｃと接続する。処理能力監視部５Ｃは、Ｌ３呼制御部３Ｃの処理能力を監視し、能力低下を検出した際に信号流量監視部４Ｃへ通知する。実施例１との相違は、処理能力監視部５Ｃおよび信号流量監視部４Ｃにある。以下に、図５を参照してその相違点を説明する。Ｄ面装置も同様なのでその説明は省略する。
【００４８】
図５は、図４に示されるＬ２信号処理部２Ｃ，２Ｄおよび信号流量監視部４Ｃ，４Ｄの詳細の実施の一形態をＬ２信号処理部２Ｃおよび信号流量監視部４Ｃによりブロックで示した説明図である。上述した実施例１との相違は、信号流量監視部４Ｃの比較切替え判定４６Ｃと追加された処理能力監視部５Ｃとにあり、他の構成要素は上記実施例１で説明したものと同一であり、その説明は省略する。
【００４９】
処理能力監視部５Ｃは、Ｌ３呼制御部３Ｃの呼接続処理を監視し、例えばその処理速度が低下するなどにより処理能力の低下を検出した際にその情報としてバックプレッシャーの信号を比較切替え判定４６Ｃに通知する。
【００５０】
比較切替え判定４６Ｃは、上述した機能に加えて、処理能力監視部５Ｃからバックプレッシャー信号を受付けした際に切替え選択制御２４へ切替え指示を送ることができる。しかし、全体の負荷が大きいため、両方の面で処理能力の低下が発生した場合には、信号の交差が発生して更に処理が遅れるのみならず、処理の安定性および信頼性も低下する。従って、比較切替え判定４６Ｃは、バックプレッシャー信号を受付けした際には自面への信号送出を一時停止することが望ましい。
【００５１】
このような構成により、Ｌ３呼制御部３での負荷が平衡されるのみならず、上位装置での過負荷をも回避できるので、信号処理の安定性および信頼性を更に一層向上させることができる効果がある。
【産業上の利用可能性】
【００５２】
下位装置のＬ２ユニットと上位装置のＬ３ユニットとの間の接続を交差させて二重化構造とし、Ｎo.７共通線信号網に限らず、下位装置間の負荷情報を相互通知する方法または手段を用いることにより、簡易な構成で上位装置の負荷の平衡を容易に維持できることが必要な用途に適用できる。
【図面の簡単な説明】
【００５３】
【図１】本発明による二重化構造の信号処理装置の実施の一形態をブロックで示した説明図である。（実施例１）
【図２】図１の部分詳細としてＬ２信号処理部および信号流量監視部の実施の一形態をブロックで示した説明図である。（実施例１）
【図３】図１の部分詳細としてＬ３呼制御部の実施の一形態をブロックで示した説明図である。（実施例１）
【図４】本発明による二重化構造の信号処理装置の実施の一形態をブロックで示した説明図である。（実施例２）
【図５】図４の部分詳細としてＬ２信号処理部および信号流量監視部の実施の一形態をブロックで示した説明図である。（実施例２）
【図６】従来の二重化構造の一例をブロックで示した説明図である。
【図７】従来の負荷分散方式の一例をブロックで示した説明図である。
【符号の説明】
【００５４】
１、１Ａ、１Ｂ、１Ｃ、１Ｄ    Ｌ１接続部
２、２Ａ、２Ｂ、２Ｃ、２Ｄ    Ｌ２信号処理部
３、３Ａ、３Ｂ、３Ｃ、３Ｄ    Ｌ３呼制御部
４、４Ａ、４Ｂ、４Ｃ、４Ｄ    信号流量監視部
５、５Ｃ、５Ｄ    処理能力監視部
１０    信号端局
２０    Ｌ４送達確認部
２１    Ｌ１ＩＦ
２２    バッファメモリ
２３    ＨＤＬＣ処理
２４    切替え選択制御
２５Ｓ、２５Ｅ    Ｌ３ＩＦ
３１Ｓ、３１Ｅ    Ｌ２ＩＦ
３２    選択制御
３３    バッファメモリ
３４    呼接続処理
３５    Ｌ４ＩＦ
４１    自面流量計測
４２    自面流量メモリ
４３    自面流量送出
４４    他面流量受付け
４５    他面流量メモリ
４６、４６Ｃ    比較切替え判定
【図１】
2008193376.tif 000003
【図２】
2008193376.tif 000004
【図３】
2008193376.tif 000005
【図４】
2008193376.tif 000006
【図５】
2008193376.tif 000007
【図６】
2008193376.tif 000008
【図７】
2008193376.tif 000009